(57)【要約】      （修正有）【課題】鋭利な先端部分を有する物品を携帯する際には先端部分を内部に保持し，物品使用の際には先端部分を片手で容易に取り出し可能な保持材を提供する。【解決手段】鍵等の保持材１は，物品の握手部分を挟入する把持部４と，把持部４に隣接した，物品の先端部を内部に保持する保持部と，保持部に開設された開口部２と，把持部４と開口部２の，保持材外面における境界に凹状に周設された折り曲げ部３とを含み，復元力を有する柔軟性素材からなることを特徴とする。開口部２が鍵先５よりも若干大きく設計されているため，保持材１を片手で裏面方向に容易に折り曲げることが出来る。従って，保持材１から簡単に鍵先を取り出すことが出来る。また，鍵の使用後は，裏面方向に折り曲げた部分から手を離せば柔軟性素材の復元力により，保持材１は自動的に元の形状に戻る。【選択図】図１
0003144694.tif 000002
【実用新案登録請求の範囲】
【請求項１】
鋭利な先端部分を有する物品を携帯する際には該先端部分を内部に保持し，物品使用の際には該先端部分を片手で容易に取り出し可能な鍵等の保持材であって，
物品の握手部分を挟入する把持部と，
前記把持部に隣接した，物品の先端部を内部に保持する保持部と，
前記保持部に開設された開口部と，
前記把持部と前記開口部の，前記保持材外面における境界に凹状に周設された折り曲げ部と，
を含む，復元力を有する柔軟性素材からなる鍵等の保持材。
【請求項２】
前記開口部が物品先端部より大きいことを特徴とする，請求項１に記載の鍵等の保持材。
【請求項３】
前記折り曲げ部の表面側端部が，他の折り曲げ部に比べてさらに凹んでいることを特徴とする，請求項１に記載の鍵等の保持材。
【請求項４】
前記把持部の表面と裏面との間を貫通する穴がさらに設けられていることを特徴とする，請求項１乃至３のいずれかに記載の鍵等の保持材。
【考案の詳細な説明】
【技術分野】
【０００１】  本考案は，鋭利な先端部分を有する物品を携帯する際には該先端部分を内部に保持し，物品使用の際には該先端部分を片手で容易に取り出し可能な保持材に関するものである。
【背景技術】
【０００２】  各種扉等の鍵を保持，携帯するためのキーホルダー，キーカバー，キーケースは従来から広く知られている。
しかしながら，キーホルダーやキーカバーを鍵に取り付けたとしても，鍵先が外部と接触するために，鍵を衣類のポケット等に入れた場合には，衣類の布素材等を破損し，バッグ等に入れた場合には，接触したバック等の素材を破損していた。
また，キーケースに関しては，鍵を取り出すには，両手を使用しなければならず，片手に荷物を持っているような場合には，不便であった。
同様のことは，ゴルフのグリーンフォークについても問題となっていた。
【考案の開示】
【考案が解決しようとする課題】
【０００３】  本考案は，上記述べた従来技術の問題点を解決するためになされたもので，その目的とするところは，鍵先等の鋭利な部分を有する物品を衣類等のポケットに収納する際に，ポケットの布素材等を破損するのを防止することができ，鍵等を使用する際には，片手で簡便に取り出して使用することが出来る保持材を提供することにある。
【課題を解決するための手段】
【０００４】  上記目的を達成するために，本考案に係る鍵等の保持材は，鋭利な先端部分を有する物品を携帯する際には該先端部分を内部に保持し，物品使用の際には該先端部分を片手で容易に取り出し可能な鍵等の保持材であって，物品の握手部分を挟入する把持部と，前記把持部に隣接した，物品の先端部を内部に保持する保持部と，前記保持部に開設された開口部と，前記把持部と前記開口部の，前記保持材外面における境界に凹状に周設された折り曲げ部とを含む，復元力を有する柔軟性素材からなることを特徴とする。【０００５】  本考案に係る鍵等の保持材は，さらに前記開口部が物品先端部より大きいことを特徴とする。【０００６】  本考案に係る鍵等の保持材は，さらに前記折り曲げ部の表面側端部が，他の折り曲げ部に比べさらに凹んでいることを特徴とする。【０００７】  本考案に係る鍵等の保持材は，前記把持部の表面と裏面との間を貫通する穴がさらに設けられていることを特徴とする。【０００８】  物品の先端部分とは，例えば，鍵であれば，鍵先等に相当する部分を意味する。
物品の握手部分とは，例えば，鍵であれば，つまみに相当する部分を意味する。
復元力を有する柔軟性素材とは，例えばシリコンやゴム等の素材を意味する。
表面側とは，開口されている側の面であり，全く開口がない裏面の反対の面を意味する。
【考案の効果】
【０００９】  本考案の鍵等の保持材によれば，物品の鋭利部分を内部に保持するため，鋭利部分が衣類の布素材を破損するのを防止することができる。また，物品携帯時に物品が抜け出すのを防止することが出来る。
さらに本考案の鍵等の保持材によれば，物品使用の際には先端部分を片手で容易に取り出すことが出来る。
また，本考案の鍵等の保持材によれば，保持材自体の破損を防止することが出来る。
【考案を実施するための最良の形態】
【００１０】  図１は，本考案の保持材の第１の実施の形態を示している。この実施の形態に係る保持材は，鍵を内部に保持している。１はシリコン等の復元力を有する柔軟性素材である。２は開口部，３は折り曲げ部，４は把持部，５は鍵先，６は表面であり，開口されている側の面であり，７は，裏面であり，全く開口がない面である。鍵の握手部は把持部４に挟入されている。また，開口部２は，鍵先より若干大きく設計されている。また，折り曲げ部３は，把持部４と開口部２の，保持材外面における境界に凹状に周設されている。【００１１】  図１（ａ）は，第１の実施の形態において，鍵先５を内部に保持している状態を示す平面図，図１（ｂ）は，同状態を示す側面図である。
図１（ｃ）は，第１の実施の形態において，片手で保持材を折り曲げ，鍵先５を取り出した状態を示している。本実施の形態では，保持材がシリコン等の復元力を有する柔軟性素材で出来ており，開口部２が鍵先５よりも若干大きく設計されているため，保持材を片手で裏面方向に容易に折り曲げることが出来る。従って，保持材から簡単に鍵先を取り出すことが出来る。また，鍵の使用後は，裏面方向に折り曲げた部分から手を離せば柔軟性素材の復元力により，保持材は自動的に元の形状に戻る。【００１２】  図２は，本考案の第２の実施の形態を示している。１〜４は，図１と同様である。第２の実施の形態は，ゴルフのグリーンフォークを保持するための保持材である。５は，グリーンフォークの先端部である。
第２の実施の形態においても，開口部２の形状がグリーンフォークの先端部５よりも若干大きく設計されているため，片手で保持材を裏面方向に曲げてグリーンフォーク先端部５を簡単に取り出すことが出来る。また，グリーンフォークの使用後は，裏面方向に折り曲げた部分から手から離すと柔軟性素材の復元力により，保持材は自動的に元の形状に戻る。【００１３】  図３は，第１の実施の形態の第１の変形例を示す側面図である。
この変形例では，折り曲げ部の表面側端部が，他の折り曲げ部に比べさらに凹んでいる。従って，保持材折り曲げ時に表面側端部に係る負荷を低減することが出来るので，シリコン素材等の柔軟性素材が破損するのを防止し得る。なお，右手で本考案に係る保持材を折り曲げる場合，右表面側端部に負荷がかかり，左手で折り曲げる場合，左表面側端部に負荷がかかる。そこで，右利き用に右表面側端部のみをさらに凹めたもの，左利き用に左表面側端部のみをさらに凹めたもの，いずれの利き手の人も使用できるように，左右表面側端部をさらに凹めたものも製作し得る。【００１４】  図４は，第１の実施の形態の第２の変形例を示す平面図である。この変形例に係る保持材には，把持部４の表面と裏面の間を貫通する穴８がさらに設けられている。従って，穴８と鍵の握手部分の開口とに紐９を通すことで，物品携帯時に物品が保持材から抜け出るのを防止することが出来る。【００１５】  なお，本考案の保持材は，上記実施の形態及びその変形例に限定されることなく，本考案の目的の範囲内で自由に設計変更し得るものであり，本考案はそれらの全てを包摂するものである。例えば，本考案の保持材の形状は鍵等の物品が収納できれば，どのようなものでも構わない。例えば，長方形，楕円形やアニメ，動物等の各種キャラクター状にすることもできる。また，保持材にキャラクターや文字等を印刷して趣味性を向上させることも出来る。【００１６】  また，本考案の保持材の素材は，シリコンやゴム等，復元力かつ柔軟性を有するものであればどのようなものでも構わない。
また，開口部の大きさや形状も上記実施の形態に限定されず，片手で物品を取り出せる大きさや形状であれば構わない。
【図面の簡単な説明】
【００１７】
【図１】図１は，本考案の保持材の第１の実施を説明する図で，図１（ａ）は，第１の実施の形態において鍵先を保持した状態を示す平面図，図１（ｂ）は，同状態を示す側面図，図１（ｃ）は，第１の実施の形態において鍵先を取り出した状態を示す側面図である。
【図２】本考案の保持材の第２の実施の形態を示す平面図である。
【図３】本考案の保持材の第１の実施の形態の第１の変形例を示す側面図である。
【図４】本考案の保持材の第１の実施の形態の第２の変形例を示す平面図である。
【符号の説明】
【００１８】１  保持材
２  開口部
３  折り曲げ部
４  把持部
５  鍵先
６  表面
７  裏面
８  穴
９  紐
【図１】
0003144694.tif 000003
【図２】
0003144694.tif 000004
【図３】
0003144694.tif 000005
【図４】
0003144694.tif 000006